(57)【要約】      （修正有）【課題】使用者に違和感を与えることなく、焼付き現象を抑制することができる、スタック投影システムを提供する。【解決手段】スタック投影システムは、第１のプロジェクター５０と、第１のプロジェクター５０と相互に通信可能な第２のプロジェクター６０と、を有し、各プロジェクターの投写画像を重ねて１つの画面として表示する。第１のプロジェクター５０は、光源５１、表示素子５２及び制御部５３を有し、第２のプロジェクター６０は、光源６１及び表示素子６２を有する。制御部５３は、第１および第２のプロジェクター５０、６０に対して、所定の電圧を表示素子５２、６２の各画素に供給する焼付き防止処理を、異なるタイミングで実行させる。焼付き防止処理の実行時に、制御部５３は、該焼付き防止処理を実行するプロジェクターの光源を消灯させ、該光源の消灯の前後で画面の輝度が一定になるように、残りのプロジェクターの光源の出力を増大させる。【選択図】図１２
2018170688.tif 000002
【特許請求の範囲】
【請求項１】
第１のプロジェクターと、該第１のプロジェクターと相互に通信可能な少なくとも一つの第２のプロジェクターと、を有し、各プロジェクターの投写画像を重ねて１つの画面として表示するスタック投影システムであって、
前記第１および第２のプロジェクターはそれぞれ、
光源と、
前記光源からの光を変調する複数の画素を備え、各画素が印加電圧に応じて動作する表示素子と、を有し、
前記第１のプロジェクターは、前記第１および第２のプロジェクターのそれぞれの前記光源の出力制御および前記表示素子の駆動制御を行う制御部を、さらに有し、
前記制御部は、前記第１および第２のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる、スタック投影システム。
【請求項２】
請求項１に記載のスタック投影システムにおいて、
前記制御部は、前記焼付き防止処理の実行後に、該焼付き防止処理を実行したプロジェクターの前記光源を点灯させ、該光源の点灯の前後で前記画面の輝度が一定になるように、残りのプロジェクターの前記光源の出力を減少させる、スタック投影システム。
【請求項３】
請求項１または２に記載のスタック投影システムにおいて、
前記表示素子は、入力映像信号に基づく画像を形成し、
前記第１のプロジェクターは、前記入力映像信号に示される画像が静止画であるか否かを判定する静止画判定処理部を、さらに有し、
前記制御部は、前記静止画判定処理部の判定結果に基づいて、前記表示素子にて前記静止画が連続して形成された時間が所定時間に達したか否かを判定し、所定時間に達した場合に、前記第１および第２のプロジェクターのそれぞれに対して前記焼付き防止処理を実行する、スタック投影システム。
【請求項４】
請求項１乃至３のいずれか一項に記載のスタック投影システムにおいて、
前記第１のプロジェクターは、
前記所定の電圧で前記表示素子の各画素を駆動するための焼付き防止用画像データを生成する焼付き防止用画像生成部と、
前記焼付き防止用画像生成部が生成した前記焼付き防止用画像データを前記第２のプロジェクターに送信する映像出力部と、を有し、
前記第２のプロジェクターの前記表示素子が、前記焼付き防止用画像データに基づく画像を形成する、スタック投影システム。
【請求項５】
請求項１乃至３のいずれか一項に記載のスタック投影システムにおいて、
前記第１および第２のプロジェクターはそれぞれ、
前記所定の電圧で前記表示素子の各画素を駆動するための焼付き防止用画像データを生成する焼付き防止用画像生成部を、さらに有し、
前記表示素子が、前記焼付き防止用画像生成部が生成した前記焼付き防止用画像データに基づく画像を形成する、スタック投影システム。
【請求項６】
相互に通信可能に接続される複数のプロジェクターを有し、各プロジェクターは、光源と、前記光源からの光を変調する複数の画素を備え、各画素が印加電圧に応じて動作する表示素子と、を備え、各プロジェクターの投写画像を重ねて１つの画面として表示するスタック投影システムに用いられるプロジェクターであって、
前記複数のプロジェクターのそれぞれの前記光源の出力制御および前記表示素子の駆動制御を行う制御部を有し、
前記制御部は、前記複数のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる、プロジェクター。
【請求項７】
相互に通信可能に接続される複数のプロジェクターを有し、各プロジェクターは、光源と、前記光源からの光を変調する複数の画素を備え、各画素が印加電圧に応じて動作する表示素子と、を備え、各プロジェクターの投写画像を重ねて１つの画面として表示するスタック投影システムにて行われる焼付き防止方法であって、
前記複数のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる焼付き防止方法。
【発明の詳細な説明】
【技術分野】
【０００１】
本発明は、スタック投影システム、プロジェクター及び焼付き防止方法に関する。
【背景技術】
【０００２】
複数のプロジェクターを備え、各プロジェクターの投写画面を互いに重ねて一つの画面として表示する、スタック投影システムが知られている（特許文献１参照）。各プロジェクターは、同じ構成であり、その主要部は、光源と、光源からの光を変調して画像を形成する表示素子と、表示素子にて形成された画像を投写する投写レンズと、からなる。各プロジェクターでは、表示素子が、入力映像信号に基づく同じ画像を形成する。表示素子として、液晶ディスプレイやＤＭＤ（デジタルマイクロミラーデバイス）が用いられる。
【０００３】
ところで、液晶ディスプレイにおいては、液晶セルに印加される電圧の極性が常に同じであると、液晶セルに混入している不純物が帯電し、分極と呼ばれる現象により直流電圧が発生したり、液晶分子そのものにも分極が発生したりする。このような分極現象は、表示品位を著しく低下させる場合がある。
特に、液晶分子そのものに分極が発生した場合は、液晶セルへの電圧の印加を停止した後も、液晶分子が電圧印加停止前の状態を保持してしまう。このため、例えば、液晶セルに映像信号に対応する電圧を供給して映像を表示させた後、映像信号の供給を停止しても、液晶セルには、直前の映像が残像として表示されることになる。この現象は、便宜上、液晶ディスプレイの焼付き現象と呼ばれている。なお、焼付きを生じた液晶セルは、ＣＲＴ（Cathode Ray Tube）の焼付きとは異なり、長期間放置したり、逆極性の電圧を印加したりすることで回復する。
【０００４】
ＤＭＤにおいても、静止画を長時間にわたって表示した場合に、焼付きと呼ばれている現象が生じる。以下に、この焼付き現象を簡単に説明する。
ＤＭＤは、マトリクス状に等間隔で配置された複数のマイクロミラーを有する。マイクロミラー下にヒンジを備え、駆動電圧に応じてヒンジが捻じれることで、マイクロミラーが傾く。例えば、オン状態を示す駆動電圧が供給されると、マイクロミラーは＋１２°の角度で傾き、オフ状態を示す駆動電圧が供給されると、マイクロミラーは−１２°の角度で傾く。駆動電圧が供給されていない場合、または、駆動電圧が閾値に達していない場合は、マイクロミラーの傾きは０°であり、この状態をフラット状態と呼ぶ。
【０００５】
投写レンズは、フラット状態のマイクロミラーと正対するように配置される。通常、オン状態のマイクロミラーからの反射光が投写レンズに入射し、フラット状態及びオン状態のマイクロミラーからの反射光は投写レンズに入射しない。しかし、ヒンジの構造上の特性から、マイクロミラーがオン状態又はオフ状態を長時間にわたって維持した後に、電圧の供給が停止されても、すぐには、マイクロミラーはフラット状態に戻らない。このため、同じ画像を長時間にわたって表示した場合、電圧の供給を停止しても、マイクロミラーからの反射光が投写レンズに入り込んでしまい、その結果、フレアが発生して、投写画像の画質が低下する。この現象が、ＤＭＤの焼付き現象と呼ばれている。このＤＭＤの焼付き現象も、液晶セルと同様、長期間放置したり、オフ状態及びオン状態の電圧を交互に印加したりすることで回復する。
【０００６】
一般に、スタック投影システムにおいては、各プロジェクターにおいて、上述した焼付き現象を防止するために、焼付き防止用の画像を表示素子にて形成させる焼付き防止処理が実行される。焼付き防止用画像は、例えば、全白画面及び全黒画面からなる。
【先行技術文献】
【特許文献】
【０００７】
【特許文献１】国際公開２０１２／１７２６４０号公報
【発明の概要】
【発明が解決しようとする課題】
【０００８】
しかし、上述したスタック投影システムにおいては、焼付き防止処理を行った場合に、現在、表示されている画面とは関係の無い焼付き防止用画像が表示される。このため、使用者は、画面を観察した場合に違和感を覚える。
本発明の目的は、上記問題を解決し、使用者に違和感を与えることなく、焼付き現象を抑制することができる、スタック投影システム、プロジェクター及び焼付き防止方法を提供することにある。
【課題を解決するための手段】
【０００９】
上記目的を達成するため、本発明の一態様によれば、
第１のプロジェクターと、該第１のプロジェクターと相互に通信可能な少なくとも一つの第２のプロジェクターと、を有し、各プロジェクターの投写画像を重ねて１つの画面として表示するスタック投影システムであって、
前記第１および第２のプロジェクターはそれぞれ、
光源と、
前記光源からの光を変調する複数の画素を備え、各画素が印加電圧に応じて動作する表示素子と、を有し、
前記第１のプロジェクターは、前記第１および第２のプロジェクターのそれぞれの前記光源の出力制御および前記表示素子の駆動制御を行う制御部を、さらに有し、
前記制御部は、前記第１および第２のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる、スタック投影システムが提供される。
【００１０】
本発明の別の態様によれば、
相互に通信可能に接続される複数のプロジェクターを有し、各プロジェクターは、光源と、前記光源からの光を変調する複数の画素を備え、各画素が印加電圧に応じて動作する表示素子と、を備え、各プロジェクターの投写画像を重ねて１つの画面として表示するスタック投影システムに用いられるプロジェクターであって、
前記複数のプロジェクターのそれぞれの前記光源の出力制御および前記表示素子の駆動制御を行う制御部を有し、
前記制御部は、前記複数のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる、プロジェクターが提供される。
【００１１】
本発明のさらに別の態様によれば、
相互に通信可能に接続される複数のプロジェクターを有し、各プロジェクターは、光源と、前記光源からの光を変調する複数の画素を備え、各画素が印加電圧に応じて動作する表示素子と、を備え、各プロジェクターの投写画像を重ねて１つの画面として表示するスタック投影システムにて行われる焼付き防止方法であって、
前記複数のプロジェクターのそれぞれに対して、所定の電圧を前記表示素子の各画素に供給する焼付き防止処理を、異なるタイミングで実行させ、該焼付き防止処理の実行時に、該焼付き防止処理を実行するプロジェクターの前記光源を消灯させ、該光源の消灯の前後で前記画面の輝度が一定になるように、焼付き防止処理を実行しないプロジェクターの前記光源の出力を増大させる焼付き防止方法が提供される。
【発明の効果】
【００１２】
本発明によれば、使用者に違和感を与えることなく、焼付き現象を抑制することができる。
【図面の簡単な説明】
【００１３】
【図１】本発明の第１の実施形態によるスタック投影システムの構成を示す模式図である。
【図２】図１に示すスタック投影システムのマスターであるプロジェクターの構成を示すブロック図である。
【図３】図１に示すスタック投影システムのスレーブであるプロジェクターの構成を示すブロック図である。
【図４】図２に示すプロジェクターの焼付き防止動作及び各プロジェクターの光源の出力制御を説明するためのフローチャートである。
【図５】図３に示すプロジェクターの焼付き防止動作及び各プロジェクターの光源の出力制御を説明するためのフローチャートである。
【図６Ａ】焼付き防止処理開始前の入力映像信号、各プロジェクターの投写画像、及びスタック投影映像の関係を説明するための模式図である。
【図６Ｂ】消灯処理時の入力映像信号、各プロジェクターの投写画像、及びスタック投影映像の関係を説明するための模式図である。
【図６Ｃ】焼付き防止処理実行時の入力映像信号、焼付き防止用画像、各プロジェクターの投写画像、及びスタック投影映像の関係を説明するための模式図である。
【図６Ｄ】焼付き防止処理終了時の入力映像信号、焼付き防止用画像、各プロジェクターの投写画像、及びスタック投影映像の関係を説明するための模式図である。
【図６Ｅ】焼付き防止処理終了後の入力映像信号、各プロジェクターの投写画像、及びスタック投影映像の関係を説明するための模式図である。
【図７】本発明の第２の実施形態によるスタック投影システムのマスターであるプロジェクターの構成を示すブロック図である。
【図８】本発明の第３の実施形態によるスタック投影システムのマスターであるプロジェクターの構成を示すブロック図である。
【図９】本発明の第３の実施形態によるスタック投影システムのスレーブであるプロジェクターの構成を示すブロック図である。
【図１０】図９に示すプロジェクターの焼付き防止動作及び各プロジェクターの光源の出力制御を説明するためのフローチャートである。
【図１１Ａ】焼付き防止処理開始前の入力映像信号、各プロジェクターの投写画像、及びスタック投影映像の関係を説明するための模式図である。
【図１１Ｂ】消灯処理時の入力映像信号、各プロジェクターの投写画像、及びスタック投影映像の関係を説明するための模式図である。
【図１１Ｃ】焼付き防止処理実行時の入力映像信号、焼付き防止用画像、各プロジェクターの投写画像、及びスタック投影映像の関係を説明するための模式図である。
【図１１Ｄ】焼付き防止処理終了後の入力映像信号、各プロジェクターの投写画像、及びスタック投影映像の関係を説明するための模式図である。
【図１２】本発明の第３の実施形態によるスタック投影システムの構成を示すブロック図である。
【発明を実施するための形態】
【００１４】
次に、本発明の実施形態について図面を参照して説明する。
（第１の実施形態）
図１は、本発明の第１の実施形態によるスタック投影システムの構成を示す模式図である。
図１を参照すると、スタック投影システム１は、上下にスタック設置された２台のプロジェクター１０、２０を有する。プロジェクター１０、２０はマスター／スレーブの関係にあり、相互に通信可能に接続されている。ここでは、プロジェクター１０がマスタープロジェクターであり、プロジェクター２０がスレーブプロジェクターである。
【００１５】
プロジェクター１０、２０は、互いに同じ画像を投写し、各投写画像が同一投写面上に重ねて表示される、所謂、スタック投影を行うように構成されている。プロジェクター１０、２０はいずれも、レンズシフト機能や台形歪み補正機能を搭載している。
レンズシフト機能は、投写レンズをその光軸に直交する方向に移動することで、投写面上で投写画像を上限左右方向に移動させる機能である。台形歪み補正機能は、例えば、投写光が投写面に対して斜めに投写された場合に、投写画像に生じる台形歪みと呼ばれる歪みを補正する機能である。レンズシフト機能、もしくは、レンズシフト機能と台形歪み補正機能の両機能を用いることで、同一投写面上でプロジェクター１０、２０の投写画像を重ねて１つの画面として表示することができる。
【００１６】
なお、図１において、プロジェクター１０、２０の並び方向は、上下方向に限定されない。スタック投影ができるのであれば、プロジェクター１０、２０はどのような方向に並べて配置されても良い。例えば、プロジェクター１０、２０は、左右に並べて配置されても良い。また、スレーブプロジェクターであるプロジェクター２０は１台しか示されていないが、これに限定されない。スタック投影ができるのであれば、２台以上のプロジェクター２０がスレーブプロジェクターとして設けられても良い。
【００１７】
次に、プロジェクター１０の構成を説明する。
図２は、プロジェクター１０の構成を示すブロック図である。図２を参照すると、プロジェクター１０は、制御部１１、映像信号処理部１２、フレームメモリ１３、表示部１４、焼付き防止用画像生成部１５、光源部１６、通信部１７、メモリ１８及び静止画判定処理部１９を有する。
映像信号Ｓ１が、外部映像供給装置から映像信号処理部１２に供給される。外部映像供給装置は、パーソナルコンピュータや、レコーダ等の映像機器である。映像信号処理部１２は、映像信号Ｓ１を表示部１４にて表示可能な映像信号に変換する。映像信号処理部１２の出力映像信号は、フレームメモリ１３及び焼付き防止用画像生成部１５に供給される。
【００１８】
表示部１４は、フレームメモリ１３から画像データを読み出し、該画像データに基づいて光源部１６からの光を変調して画像を形成する。投写レンズ（不図示）が、表示部１４で形成された画像を投写面上に投写する。表示部１４は、光源部１６からの光を変調して画像を形成する複数の画素を備え、各画素が駆動電圧に応じて動作する表示素子からなる。表示素子は、例えば、液晶ディスプレイデバイスやＤＭＤである。
光源部１６は、消灯状態（０％）から最大出力（１００％）までの範囲で出力を段階的に増減することが可能な固体光源からなる。固体光源として、例えば、ＬＥＤ（発光ダイオード）やＬＤ（レーザダイオード）を用いることができる。また、光源部１６として、蛍光体とＬＤとを組み合わせた光源を用いることもできる。ＬＥＤやＬＤの固体光源は、駆動電流又は駆動電圧を制御することでその出力を増減することが可能である。
【００１９】
焼付き防止用画像生成部１５は、制御部１１からの画像生成指示信号に応じて、焼付き防止用画像を生成し、該焼付き防止用画像の映像信号をフレームメモリ１３に供給する。焼付き防止用画像は、所定の駆動電圧を表示部１４の各画素に供給することが可能な画像である。例えば、焼付き防止用画像は、全白画面の画像と全黒画面の画像からなる。
フレームメモリ１３は、制御部１１からの指示信号に応じて、映像信号処理部１２の出力映像信号又は焼付き防止用画像生成部１５の出力映像信号に基づく画像データを格納する。映像信号処理部１２の出力映像信号に基づく画像データは、フレーム単位にフレームメモリ１３に格納される。焼付き防止用画像生成部１５の出力映像信号については、例えば、全白画面の画像データと全黒画面の画像データが順にフレームメモリ１３に格納される。
【００２０】
通信部１７は、スレーブプロジェクターであるプロジェクター２０と相互に通信を行う。通信部１７は、通信ケーブルを介してプロジェクター２０と通信しても良く、また、プロジェクター２０と無線通信を行っても良い。複数のプロジェクター２０を有する場合は、それぞれのプロジェクター２０の識別情報を用いて情報の送受信を行う。
メモリ１８は、プロジェクター１０を動作させるのに必要なプログラムやデータが格納されている。例えば、プロジェクター１０、２０を連動させて焼付き防止処理を実行するのに必要なプログラムやデータがメモリ１８に格納されている。メモリ１８として、半導体メモリやＨＤＤ（ハードディスクドライブ）などを用いることができる。
【００２１】
なお、プログラムは、コンピュータ使用可能またはコンピュータ可読媒体で提供されてもよく、また、インターネット等のネットワークを介して提供されてもよい。ここで、コンピュータ使用可能またはコンピュータ可読媒体は、磁気、光、電子、電磁気、赤外線などを用いて情報の記録または読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ）、読出し専用メモリ（ＲＯＭ）、磁気ディスク、光ディスク、光磁気ディスクなどがある。
【００２２】
静止画判定処理部１９は、映像信号処理部１２の出力映像信号のフレーム間差分を検出し、該検出結果に基づいて、静止画であるか否かを判定し、該判定結果を示す静止画判定信号を制御部１１に供給する。例えば、静止画判定処理部１９は、フレーム間差分が閾値以上の場合を動画と判定し、フレーム間差分が閾値未満の場合を静止画と判定する。ここで、フレーム間差分とは、時間的に連続する２つのフレーム間の対応する画素値の差分をとることでフレーム内の変化領域（移動体）を検出することを意味する。
【００２３】
制御部１１は、メモリ１８に格納されたプログラムを実行するＣＰＵ（Central Processing unit）からなり、光源部１６の出力動作、フレームメモリ１３の画像データ書き込み動作、表示部１４の画像表示動作及び通信部１７の通信動作をそれぞれ制御する。
また、制御部１１は、静止画判定処理部１９からの静止画判定信号（静止画判定結果）に基づいて、焼付き防止処理を実行するか否かを判定する。例えば、静止画の連続表示時間が所定時間を超えた場合に、制御部１１は、焼付き防止処理を実行する。
【００２４】
制御部１１は、プロジェクター１０、２０のそれぞれに対して異なるタイミングで焼付き防止処理を実行させる。制御部１１は、プロジェクター１０の焼付き防止処理を実行する場合、光源１６を消灯させ、光源１６の消灯の前後で画面の輝度が一定になるように、プロジェクター２０の光源２６の出力を増大する。制御部１１は、プロジェクター２０の焼付き防止処理を実行する場合は、光源２６を消灯させ、光源２６の消灯の前後で画面の輝度が一定になるように、プロジェクター１０の光源１６の出力を増大する。制御部１１は、コマンド信号を通信部１７からプロジェクター２０へ送信することで、プロジェクター２０側の焼付き防止動作及び光源２６の出力動作を制御することができる。
【００２５】
次に、プロジェクター２０の構成を説明する。
図３は、プロジェクター２０の構成を示すブロック図である。図３を参照すると、プロジェクター２０は、制御部２１、映像信号処理部２２、フレームメモリ２３、表示部２４、焼付き防止用画像生成部２５、光源部２６、通信部２７及びメモリ２８を有する。映像信号処理部２２、フレームメモリ２３、表示部２４、焼付き防止用画像生成部２５、光源部２６及び通信部２７は、図２に示した映像信号処理部１２、フレームメモリ１３、表示部１４、焼付き防止用画像生成部１５、光源部１６及び通信部１７と同様のものである。
【００２６】
メモリ２８は、プロジェクター２０を動作させるのに必要なプログラムやデータが格納されている。例えば、焼付き防止処理を実行するのに必要なプログラムやデータがメモリ２８に格納されている。メモリ２８として、半導体メモリやＨＤＤ（ハードディスクドライブ）などを用いることができる。このプログラムも、プロジェクター１０のプログラムと同様、コンピュータ使用可能またはコンピュータ可読媒体で提供されてもよく、また、インターネット等のネットワークを介して提供されてもよい。
【００２７】
制御部２１は、メモリ２８に格納されたプログラムを実行するＣＰＵ（Central Processing unit）からなり、光源部２６の出力動作、フレームメモリ２３の画像データ書き込み動作、表示部２４の画像表示動作及び通信部２７の通信動作をそれぞれ制御する。
また、制御部２１は、プロジェクター１０からのコマンド信号に従って、焼付き防止処理及び光源２６の出力制御を行う。
【００２８】
次に、プロジェクター１０、２０の焼付き防止動作について具体的に説明する。以下では、スタック投影システム１は、２台のプロジェクター１０、２０から構成されており、光源１６、２６の最大出力は共に同じである。初期状態として、光源１６、２６の出力はともに５０％に設定されており、表示部１４、２４は共に入力映像信号Ｓ１に基づく画像を表示している。
【００２９】
まず、プロジェクター１０の焼付き防止動作とプロジェクター２０の光源２６の出力制御について具体的に説明する。
図４は、プロジェクター１０の焼付き防止動作とこれに連動して行われる光源１６、２６の出力制御とを説明するためのフローチャートである。
【００３０】
図４に示すように、プロジェクター１０では、まず、制御部１１が、静止画の連続表示時間が所定時間を超えた場合に、焼付き防止処理を開始する旨の開始通知信号を通信部１７からプロジェクター２０へ送信させる（ステップＭ１−１）。この開始通知信号は、プロジェクター２０に光源２６の出力制御を開始させるためのコマンド信号である。
次に、制御部１１が、光源１６の出力を５０％から０％（消灯）に段階的に減少させ、消灯状態を示す消灯通知信号を通信部１７からプロジェクター２０へ送信させる（ステップＭ１−２）。
【００３１】
次に、制御部１１が、画像生成指示信号を焼付き防止用画像生成部１５に供給し、焼付き防止用画像生成部１５が、画像生成指示信号に応じて焼付き防止用画像データをフレームメモリ１３に書き込む。そして、表示部１４が、フレームメモリ１３に書き込まれた焼付き防止用画像データに基づいて動作することで、焼付き防止処理が実行される（ステップＭ１−３）。
焼付き防止処理が終了すると、制御部１１が、焼付き防止処理が終了した旨を示す終了通知信号を通信部１７からプロジェクター２０へ送信させる（ステップＭ１−４）。
終了通知信号の送信後、制御部１１が、映像信号処理部１２の出力映像信号の画像データがフレームメモリ１３に書き込まれるようにした上で、光源１６の出力を０％から５０％（点灯）に段階的に増大させる。そして、制御部１１が、点灯状態を示す点灯通知信号を通信部１７からプロジェクター２０へ送信させる（ステップＭ１−５）。
【００３２】
一方、プロジェクター２０では、プロジェクター１０側の上記のステップＭ１−１〜Ｍ１−５の動作に連動して光源２６の出力制御が行われる。
まず、制御部２１が、プロジェクター１０からの開始通知信号に応じて、光源２６の出力を５０％から１００％に段階的に増大させる（ステップＳ１−１）。
【００３３】
次に、制御部２１が、プロジェクター１０からの消灯通知信号に基づき、プロジェクター１０の消灯処理が終了したか否かを判定する（ステップＳ１−２）。消灯処理が終了した場合は、次いで、制御部２１が、プロジェクター１０からの終了通知信号に基づき、プロジェクター１０の焼付き防止処理が終了したか否かを判定する（ステップＳ１−３）。
焼付き防止処理が終了した場合、制御部２１が、光源２６の出力を１００％から５０％に段階的に減少させる（ステップＳ１−４）。
以上の手順で、プロジェクター１０側の焼付き防止に伴う処理が完了する。
【００３４】
次に、プロジェクター２０の焼付き防止動作とプロジェクター１０の光源１６の出力制御について具体的に説明する。
図５は、プロジェクター２０の焼付き防止動作とこれに連動して行われる光源１６、２６の出力制御とを説明するためのフローチャートである。
図５に示すように、プロジェクター１０では、まず、制御部１１が、焼付き防止処理の開始命令を通信部１７からプロジェクター２０へ送信させる（ステップＭ２−１）。次に、制御部１１が、光源１６の出力を５０％から１００％に段階的に増大させる（ステップＭ２−２）。
【００３５】
次に、制御部１１が、プロジェクター２０からの消灯通知信号に基づき、プロジェクター２０の消灯処理が終了したか否かを判定する（ステップＭ２−３）。消灯処理が終了した場合、制御部１１が、プロジェクター２０からの終了通知信号に基づき、プロジェクター２０の焼付き防止処理が終了したか否かを判定する（ステップＭ２−４）。焼付き防止処理が終了した場合、制御部１１が、光源１６の出力を１００％から５０％に段階的に減少させる（ステップＭ２−５）。
【００３６】
一方、プロジェクター２０では、プロジェクター１０側の上記のステップＭ２−１〜Ｍ２−５の動作に連動して焼付き防止に伴う処理が実行される。
まず、制御部２１が、光源２６の出力を５０％から０％（消灯）に段階的に減少させ、消灯状態を示す消灯通知信号を通信部２７からプロジェクター１０へ送信させる（ステップＳ２−１）。
【００３７】
次に、制御部２１が、画像生成指示信号を焼付き防止用画像生成部２５に供給し、焼付き防止用画像生成部２５が、画像生成指示信号に応じて焼付き防止用画像データをフレームメモリ２３に書き込む。そして、表示部２４が、フレームメモリ２３に書き込まれた焼付き防止用画像データに基づいて動作することで、焼付き防止処理が実行される（ステップＳ２−２）。
焼付き防止処理が終了すると、制御部２１が、焼付き防止処理が終了した旨を示す終了通知信号を通信部２７からプロジェクター１０へ送信させる（ステップＳ２−３）。
【００３８】
終了通知信号の送信後、制御部２１が、映像信号処理部２２の出力映像信号の画像データがフレームメモリ２３に書き込まれるようにした上で、光源２６の出力を０％から５０％（点灯）に段階的に増大させ、点灯状態を示す点灯通知信号を通信部２７からプロジェクター１０へ送信させる（ステップＳ２−４）。
以上の手順で、プロジェクター２０側の焼付き防止に伴う処理が完了する。
【００３９】
本実施形態のスタック投影システムによれば、静止画の表示時間が一定時間を超えた場合に、プロジェクター１０（マスターＰＪ）及びプロジェクター２０（スレーブＰＪ）の焼付き防止処理が異なるタイミングで実行される。
焼付き防止処理を実行中のプロジェクターの光源を消灯するので、焼付き防止用画像が投写面上に表示されることは無い。
また、光源の消灯の前後で画面の輝度が変化しないように、焼付き防止処理を実行しないプロジェクターの光源の出力を増大させるので、焼付き防止処理中に、輝度変化に伴う違和感を使用者に与えることは無い。以下に、この効果を簡単に説明する。
【００４０】
図６Ａに、入力映像信号Ｓ１、ステップＭ１−１でのプロジェクター１０の投写画像、プロジェクター２０の投写画像及びスタック投影映像の関係を模式的に示す。プロジェクター１０、２０はそれぞれ、光源１６、２６の出力を５０％とした状態で、入力映像信号Ｓ１に基づき、画像１０−１、２０−１を形成する。これら画像１０−１、２０−１を重ねたスタック投影映像１−１が画面に表示される。
【００４１】
図６Ｂに、入力映像信号Ｓ１、ステップＭ１−２でのプロジェクター１０の投写画像、ステップＳ１−１でのプロジェクター２０の投写画像、及びスタック投影映像の関係を模式的に示す。プロジェクター１０は、光源１６の出力を５０％から０％に減少するとともに、入力映像信号Ｓ１に基づく画像１０−２（全黒画面に相当する）を形成する。一方、プロジェクター２０は、光源２６の出力を５０％から１００％に増大するとともに、入力映像信号Ｓ１に基づく画像２０−２を形成する。これら画像１０−２、２０−２を重ねたスタック投影映像１−２が画面に表示される。スタック投影映像１−２の画面の輝度は、図６Ａに示したスタック投影映像１−１の画面と同じである。
【００４２】
図６Ｃに、入力映像信号Ｓ１、焼付き防止用画像Ｓ２、ステップＭ１−３でのプロジェクター１０の投写画像、ステップＳ１−１でのプロジェクター２０の投写画像、及びスタック投影映像の関係を模式的に示す。焼付き防止処理を実行中は、プロジェクター１０は、光源１６の出力を０％とした状態で、焼付き防止用画像Ｓ２に基づく画像１０−３を形成する。一方、プロジェクター２０は、光源２６の出力を１００％とした状態で、入力映像信号Ｓ１に基づく画像２０−３を形成する。この場合は、画像２０−３に基づくスタック投影映像１−３が画面に表示される。スタック投影映像１−３の画面の輝度は、図６Ａに示したスタック投影映像１−１の画面と同じである。
【００４３】
図６Ｄに、入力映像信号Ｓ１、ステップＭ１−４でのプロジェクター１０の投写画像、ステップＳ１−３でのプロジェクター２０の投写画像、及びスタック投影映像の関係を模式的に示す。プロジェクター１０は、光源１６の出力を０％とした状態で、焼付き防止用画像Ｓ２に基づく画像１０−４を形成する。一方、プロジェクター２０は、光源２６の出力を１００％とした状態で、入力映像信号Ｓ１に基づく画像２０−４を形成する。この場合は、画像２０−４に基づくスタック投影映像１−４が画面に表示される。スタック投影映像１−４の画面の輝度は、図６Ａに示したスタック投影映像１−１の画面と同じである。
【００４４】
図６Ｅに、入力映像信号Ｓ１、ステップＭ１−５でのプロジェクター１０の投写画像、ステップＳ１−４でのプロジェクター２０の投写画像、及びスタック投影映像の関係を模式的に示す。プロジェクター１０は、光源１６の出力を０％から５０％に増大するとともに、入力映像信号Ｓ１に基づく画像１０−５を形成する。一方、プロジェクター２０は、光源２６の出力を１００％から５０％に減少するとともに、入力映像信号Ｓ１に基づく画像２０−５を形成する。これら画像１０−５、２０−５を重ねたスタック投影映像１−５が画面に表示される。スタック投影映像１−５の画面の輝度は、図６Ａに示したスタック投影映像１−１の画面と同じである。
図６Ａ〜図６Ｅに示したように、焼付き防止処理を実行しても、スタック投影映像の輝度は変化しない。
【００４５】
図５に示したプロジェクター２０の焼付き防止処理において、ステップＳ２−１〜Ｓ２−４のスタック投影映像は、図６Ｂ〜図６Ｅにおけるプロジェクター１０とプロジェクター２０との関係を逆にすることで説明できる。
以上説明した本実施形態のスタック投影システムにおいて、焼付き防止処理は、使用者の入力操作に応じて実行されても良い。また、定期的に、焼付き防止処理が実行されても良い。
また、スレーブとして複数のプロジェクター２０を用いる場合は、プロジェクター１０、２０の光源出力制御は以下のように行われる。
プロジェクター２０の数をＮとする。光源部１６、２６の最大出力は同じである。初期状態において、制御部１１は、光源部１６、２６をそれぞれ、１００／（Ｎ＋１）の割合（％）で示される出力となるように制御する。焼付き防止処理実行時は、制御部１１は、焼付き防止処理を実行するプロジェクターの光源を消灯し、焼付き防止処理を実行しないプロジェクターの光源の出力を増大する。ここで、焼付き防止処理を実行しないプロジェクターの数はＮであり、それぞれ１００／Ｎの割合（％）で示される出力となるように制御される。
また、スレーブとして複数のプロジェクター２０を用いる場合、プロジェクター１０と複数のプロジェクター２０とは、通信ケーブルを用いてチェーン状に接続されても良い。この場合、各プロジェクター２０は自プロジェクターを識別するための識別情報を用いてプロジェクター１０と相互に通信し、他のプロジェクターの識別情報を含む情報を転送するように構成される。
チェーン状の接続形態に代えて、プロジェクター１０と各プロジェクター２０とをそれぞれ「１：１」の接続形態で接続してもよい。ただし、プロジェクター１０と各プロジェクター２０とをそれぞれ通信ケーブルを用いて接続すると、プロジェクター１０に複数の通信ケーブを接続することになり、煩雑な構成になる可能性がある。よって、通信ケーブを使用せず、無線通信で、プロジェクター１０と各プロジェクター２０とを接続することが望ましい。
【００４６】
（第２の実施形態）
本実施形態のスタック投影システムは、プロジェクター１０の一部が異なる以外は、第１の実施形態と同様のものである。説明の重複を避けるため、第１の実施形態と異なる部分についてのみ説明する。
【００４７】
図７は、本実施形態のスタック投影システムに用いられるプロジェクター１０の構成を示すブロック図である。
図７に示すプロジェクター１０は、図２に示した構成に加えて、映像出力部３０を有する。映像信号Ｓ１は、映像信号処理部１２を介して映像出力部３０に供給される。映像出力部３０は、映像信号処理部１２から供給された映像信号Ｓ１を図３に示したプロジェクター２０の映像処理部２２に供給する。映像出力部３０と映像処理部２２は、例えば、映像信号ケーブルを介して電気的に接続される。これ以外の構成は、第１の実施形態で説明したとおりである。
【００４８】
（第３の実施形態）
本実施形態のスタック投影システムは、プロジェクター１０、２０の一部が異なる以外は、第１の実施形態と同様のものである。説明の重複を避けるため、第１の実施形態と異なる部分についてのみ説明する。
図８は、本実施形態のスタック投影システムに用いられるプロジェクター１０の構成を示すブロック図である。
【００４９】
図８に示すプロジェクター１０は、図２に示した構成に加えて、映像出力制御部３１、外部映像出力用フレームメモリ３２及び映像出力部３３を有する。映像出力制御部３１は、制御部１１、映像信号処理部１２、焼付き防止用画像生成部１５及び外部映像出力用フレームメモリ３２のそれぞれと電気的に接続されている。
映像出力制御部３１は、制御部１１からの制御信号に従い、映像信号処理部１２の出力映像信号又は焼付き防止用画像生成部１５の出力映像信号（焼付き防止用画像）に基づく画像データを外部映像出力用フレームメモリ３２に書き込む。映像出力部３３は、外部映像出力用フレームメモリ３２から画像データを読み出し、該画像データに基づく映像信号をプロジェクター２０に供給する。
【００５０】
図９は、本実施形態のスタック投影システムに用いられるプロジェクター２０の構成を示すブロック図である。
図９に示すプロジェクター２０は、図２に示した構成から焼付き防止用画像生成部２５を削除し、映像信号処理部２２に代えて、映像信号処理部４２を有する。映像信号処理部４２は、映像信号ケーブルを介して、図８に示したプロジェクター１０の映像出力部３３と電気的に接続されている。
映像信号処理部４２は、プロジェクター１０にて生成された映像信号（映像信号処理部１２の出力映像信号に基づく画像データ又は焼付き防止用画像生成部１５の出力映像信号に基づく画像データ）を受信する。映像信号処理部４２は、プロジェクター１０から受信した映像信号に基づく画像データをフレームメモリ２３に書き込む。
【００５１】
次に、本実施形態のスタック投影システムの動作を説明する。
プロジェクター１０の焼付き防止処理は、第１の実施形態で説明したとおりであるので、ここでは、その説明は省略し、プロジェクター２０の焼付き防止動作とプロジェクター１０の光源１６の出力制御について詳細に説明する。
【００５２】
図１０は、プロジェクター２０の焼付き防止動作とこれに連動して行われる光源１６、２６の出力制御とを説明するためのフローチャートである。初期状態として、光源１６、２６の出力はともに５０％に設定されており、映像出力制御部３１が、映像信号処理部１２の出力映像信号に基づく画像データを外部映像出力用フレームメモリ３２に供給している。これにより、上記状態においては、表示１４、２４は共に、入力映像信号Ｓ１に基づく画像を形成している。
図１０に示すように、プロジェクター１０では、まず、制御部１１が、焼付き防止処理の開始命令を通信部１７からプロジェクター２０へ送信させる（ステップＭ３−１）。次に、制御部１１が、光源１６の出力を５０％から１００％に段階的に増大させる（ステップＭ３−２）。
【００５３】
次に、制御部１１が、プロジェクター２０からの消灯通知信号に基づき、プロジェクター２０の消灯処理が終了したか否かを判定する（ステップＭ３−３）。
消灯処理が終了した場合、制御部１１が、画像生成指示信号を焼付き防止用画像生成部１５に供給し、焼付き防止用画像生成部１５が、画像生成指示信号に応じて焼付き防止用画像データを映像出力制御部３１に供給する。さらに、制御部１１は、映像出力制御部３１にて、焼付き防止用画像生成部１５の出力映像信号を選択させ、映像出力制御部３１が、焼付き防止用画像生成部１５の出力映像信号に基づく画像データを外部映像出力フレームメモリ３２に書き込む。そして、映像出力部３３が、外部映像出力フレームメモリ３２から画像データを読み出し、該画像データを含む映像信号をプロジェクター２０に送信する（ステップＭ３−４）。
【００５４】
次に、制御部１１が、プロジェクター２０からの終了通知信号に基づき、プロジェクター２０の焼付き防止処理が終了したか否かを判定する（ステップＭ３−５）。焼付き防止処理が終了した場合、制御部１１が、光源１６の出力を１００％から５０％に段階的に減少させる（ステップＭ３−５）。同時に、制御部１１は、映像出力制御部３１にて、映像信号処理部１２の出力映像信号を選択させ、映像出力制御部３１が、映像信号処理部１２の出力映像信号に基づく画像データを外部映像出力フレームメモリ３２に書き込む。そして、映像出力部３３が、外部映像出力フレームメモリ３２から画像データを読み出し、該画像データを含む映像信号をプロジェクター２０に送信する。
【００５５】
一方、プロジェクター２０では、プロジェクター１０側の上記のステップＭ３−１〜Ｍ３−５の動作に連動して焼付き防止処理が実行される。
まず、制御部２１が、光源２６の出力を５０％から０％（消灯）に段階的に減少させ、消灯状態を示す消灯通知信号を通信部２７からプロジェクター１０へ送信させる（ステップＳ３−１）。
次に、映像信号処理部４２が、プロジェクター１０から焼付き防止用画像データを受信したか否かを判定する（ステップＳ３−２）。
【００５６】
焼付き防止用画像データを受信した場合は、映像信号処理部４２が、焼付き防止用画像データをフレームメモリ２３に書き込む。そして、表示部２４が、フレームメモリ２３に書き込まれた焼付き防止用画像データに基づいて動作することで、焼付き防止処理が実行される（ステップＳ３−３）。
焼付き防止処理が終了すると、制御部２１が、焼付き防止処理が終了した旨を示す終了通知信号を通信部２７からプロジェクター１０へ送信させる（ステップＳ３−４）。
終了通知信号の送信後、映像信号処理部４２が、プロジェクター１０から画像データ（映像信号処理部１２の出力映像信号）を受信し、その画像データをフレームメモリ２３に書き込む。そして、制御部２１が、光源２６の出力を０％から５０％（点灯）に段階的に増大させ、点灯状態を示す点灯通知信号を通信部２７からプロジェクター１０へ送信させる（ステップＳ３−５）。
以上の手順で、プロジェクター２０側の焼付き防止動作に伴う処理が完了する。
【００５７】
本実施形態のスタック投影システムにおいても、第１の実施形態と同様、焼付き防止処理を実行中のプロジェクターの光源を消灯するので、焼付き防止用画像が投写面上に表示されることは無い。
また、光源の消灯の前後で画面の輝度が変化しないように、焼付き防止処理を実行しないプロジェクターの光源の出力を制御するので、焼付き防止処理中に、輝度変化に伴う違和感を使用者に与えることは無い。以下に、この効果を、プロジェクター２０側の焼付き防止動作を例に挙げて、簡単に説明する。
【００５８】
図１１Ａに、入力映像信号Ｓ１、ステップＭ３−１でのプロジェクター１０の投写画像、プロジェクター２０の投写画像及びスタック投影映像の関係を模式的に示す。プロジェクター１０、２０はそれぞれ光源１６、２６の出力を５０％とした状態で、入力映像信号Ｓ１に基づき、画像１０−１、２０−１を形成する。これら画像１０−１、２０−１を重ねたスタック投影映像１−１が画面に表示される。
【００５９】
図１１Ｂに、入力映像信号Ｓ１、ステップＭ３−２でのプロジェクター１０の投写画像、ステップＳ３−１でのプロジェクター２０の投写画像、及びスタック投影映像の関係を模式的に示す。プロジェクター１０は、光源１６の出力を５０％から１００％に増大するとともに、入力映像信号Ｓ１に基づく画像１０−２を形成する。一方、ステップＳ１−１では、プロジェクター２０は、光源２６の出力を５０％から０％に減少するとともに、入力映像信号Ｓ１に基づく画像１０−２（全黒画面に相当する）を形成する。これら画像１０−２、２０−２を重ねたスタック投影映像１−２が画面に表示される。スタック投影映像１−２の画面の輝度は、図１１Ａに示したスタック投影映像１−１の画面と同じである。
【００６０】
図１１Ｃに、入力映像信号Ｓ１、焼付き防止用画像Ｓ２、ステップＭ３−４でのプロジェクター１０の投写画像、ステップＳ３−３でのプロジェクター２０の投写画像、及びスタック投影映像の関係を模式的に示す。プロジェクター１０は、光源１６の出力を１００％とした状態で、入力映像信号Ｓ１に基づく画像１０−３を形成する。一方、プロジェクター２０は、光源２６の出力を０％とした状態で、焼付き防止用画像Ｓ２に基づく画像２０−３を形成する。この場合は、画像１０−３に基づくスタック投影映像１−３が画面に表示される。スタック投影映像１−３の画面の輝度は、図１１Ａに示したスタック投影映像１−１の画面と同じである。
【００６１】
図１１Ｄに、入力映像信号Ｓ１、ステップＭ３−６でのプロジェクター１０の投写画像、ステップＳ３−５でのプロジェクター２０の投写画像、及びスタック投影映像の関係を模式的に示す。プロジェクター１０は、光源１６の出力を１００％から５０％に減少するとともに、入力映像信号Ｓ１に基づく画像１０−４を形成する。一方、プロジェクター２０は、光源２６の出力を０％から５０％に増大するとともに、入力映像信号Ｓ１に基づく画像２０−４を形成する。これら画像１０−４、２０−４を重ねたスタック投影映像１−４が画面に表示される。スタック投影映像１−４の画面の輝度は、図１１Ａに示したスタック投影映像１−１の画面と同じである。
図１１Ａ〜図１１Ｄに示したように、プロジェクター２０の焼付き防止処理を実行しても、スタック投影映像の輝度は変化しない。
【００６２】
（第３の実施形態）
図１２は、本発明の第３の実施形態によるスタック投影システムの構成を示すブロック図である。
図１２を参照すると、スタック投影システムは、第１のプロジェクター５０と、第１のプロジェクター５０と相互に通信可能な少なくとも一つの第２のプロジェクター６０と、を有し、各プロジェクターの投写画像を重ねて１つの画面として表示するものである。
【００６３】
第１のプロジェクター５０は、光源５１、表示素子５２及び制御部５３を有する。表示素子５２は、光源５１からの光を変調する複数の画素を備え、各画素が印加電圧に応じて動作するように構成されている。
第２のプロジェクター６０は、光源６１及び表示素子６２を有する。表示素子６２は、光源６１からの光を変調する複数の画素を備え、各画素が印加電圧に応じて動作するように構成されている。表示素子５２、６２はいずれも、液晶ディスプレイ又はＤＭＤからなる。
【００６４】
制御部５３は、第１および第２のプロジェクター５０、６０のそれぞれに対して、所定の電圧を表示素子５２、６２の各画素に供給する焼付き防止処理を、異なるタイミングで実行させる。焼付き防止処理の実行時に、制御部５３は、焼付き防止処理を実行するプロジェクターの光源を消灯させ、該光源の消灯の前後で画面の輝度が一定になるように、焼付き防止処理を実行しないプロジェクターの光源の出力を増大させる。
【００６５】
本実施形態のスタック投影システムによれば、所定のタイミング、又は、定期的に、第１のプロジェクター５０（マスターＰＪ）及び第２のプロジェクター６０（スレーブＰＪ）の焼付き防止処理が異なるタイミングで実行される。所定のタイミングは、使用者が指定したタイミング又は静止画の表示時間が一定時間を超えたタイミングである。
焼付き防止処理を実行中のプロジェクターの光源を消灯するので、焼付き防止用画像が投写面上に表示されることは無い。
また、光源の消灯の前後で画面の輝度が変化しないように、焼付き防止処理を実行しないプロジェクターの光源の出力を増大させるので、焼付き防止処理中に、輝度変化に伴う違和感を使用者に与えることは無い。
【００６６】
本実施形態のスタック投影システムにおいて、制御部５３は、焼付き防止処理の実行後に、該焼付き防止処理を実行したプロジェクターの光源を点灯させ、該光源の点灯の前後で画面の輝度が一定になるように、焼付き防止処理を実行しないプロジェクターの光源の出力を減少させても良い。
また、表示素子５２、６２が、入力映像信号に基づく画像を形成し、第１のプロジェクター５０は、入力映像信号に示される画像が静止画であるか否かを判定する静止画判定処理部を、さらに有しても良い。この場合、制御部は、静止画判定処理部の判定結果に基づいて、表示素子５２、６２にて静止画が連続して形成された時間が所定時間に達したか否かを判定し、所定時間に達した場合に、第１および第２のプロジェクター５０、６０のそれぞれに対して焼付き防止処理を実行しても良い。
【００６７】
さらに、第１のプロジェクター６０は、所定の電圧で表示素子５２の各画素を駆動するための焼付き防止用画像データを生成する焼付き防止用画像生成部と、焼付き防止用画像生成部が生成した焼付き防止用画像データを第２のプロジェクター６０に送信する映像出力部と、を有しても良い。この場合、第２のプロジェクター６０の表示素子６２が、第１のプロジェクター５０からの焼付き防止用画像データに基づく画像を形成する。
また、第１のプロジェクター５０及び第２のプロジェクター６０のそれぞれが、所定の電圧で表示素子５２、６２の各画素を駆動するための焼付き防止用画像データを生成する焼付き防止用画像生成部を、さらに有しても良い。この場合、第１のプロジェクター５０では、表示素子５２が、焼付き防止用画像生成部が生成した焼付き防止用画像データに基づく画像を形成する。第２のプロジェクター６０では、表示素子６２が、焼付き防止用画像生成部が生成した焼付き防止用画像データに基づく画像を形成する。
以上説明した各実施形態のスタック投影システムは本発明の一例であり、その構成及び動作については、発明の趣旨を逸脱しない範囲で当業者が理解し得る変更又は改善を適用することができる。
例えば、第１の実施形態のスタック投影システムにおいて、表示部１４、２４が複数の表示素子からなる場合、表示素子毎に、焼付き防止処理が実行されても良い。
具体的には、表示部は、赤色映像信号に基づく画像を形成する赤用表示素子、緑色映像信号に基づく画像を形成する緑用表示素子、及び、青色映像信号に基づく画像を形成する青用表示素子を有する。この場合、赤色映像信号、緑色映像信号、及び、青色映像信号のそれぞれについて、フレーム間差分に基づく静止画判定を行う。そして、それらの判定結果に基づいて、静止画の表示時間が所定時間に達した表示素子に対して、焼付き防止処理を実行する。
【符号の説明】
【００６８】
５０  第１のプロジェクター
５１、６１  光源
５２、６２  表示素子
５３  制御部
６０  第２のプロジェクター
【図１】
2018170688.tif 000003
【図２】
2018170688.tif 000004
【図３】
2018170688.tif 000005
【図４】
2018170688.tif 000006
【図５】
2018170688.tif 000007
【図６Ａ】
2018170688.tif 000008
【図６Ｂ】
2018170688.tif 000009
【図６Ｃ】
2018170688.tif 000010
【図６Ｄ】
2018170688.tif 000011
【図６Ｅ】
2018170688.tif 000012
【図７】
2018170688.tif 000013
【図８】
2018170688.tif 000014
【図９】
2018170688.tif 000015
【図１０】
2018170688.tif 000016
【図１１Ａ】
2018170688.tif 000017
【図１１Ｂ】
2018170688.tif 000018
【図１１Ｃ】
2018170688.tif 000019
【図１１Ｄ】
2018170688.tif 000020
【図１２】
2018170688.tif 000021